(57)【特許請求の範囲】
【請求項１】
所定の入力操作に応じて各種スイッチ機能の中から所望のスイッチ機能を選択するための機能選択スイッチが、使用頻度の高いスイッチについては直接的に操作を行えるようにスイッチ機能別にゾーン分けして配置された基本操作部と、
これらの基本操作部に対応させたスイッチ機能毎のモニタ表示領域を備え、前記機能選択スイッチで選択されたスイッチ機能のスイッチ情報に関連する動作情報は、表示領域が拡大された大写しで表示すると共に、前記機能選択スイッチで選択されていない他のスイッチ機能についてのスイッチ情報に関連する動作情報は、表示領域が縮小された小写しで表示するモニタ表示部と、
前記基本操作部およびモニタ表示部と同一の機能ゾーンにそれぞれ配置され、各モニタ表示部の表示領域に沿って前記機能選択スイッチが示すスイッチ機能における詳細なスイッチ情報を表示するスイッチ機能表示部と、
このスイッチ機能表示部の上面側に複数のクリアキーを配置して当該スイッチ機能表示部が表示しているスイッチ情報を透過・表示すると共に、クリアキー毎になされる押圧動作により前記機能選択スイッチが示すスイッチ機能における詳細機能を各別に作動させるマルチ表示スイッチと、
を具備することを特徴とする多機能スイッチ装置。
【請求項２】
請求項１に記載の多機能スイッチ装置において、
前記スイッチ機能表示部は、前記機能選択スイッチが示すスイッチ機能における詳細なスイッチ情報を表示する際、スイッチ機能の種類別に当該スイッチ機能における詳細機能を複数階層に分けて表示することを特徴とする多機能スイッチ装置。
【請求項３】
請求項１または２に記載の多機能スイッチ装置において、
前記モニタ表示部及び前記スイッチ機能表示部は、前記機能選択スイッチが示すスイッチ機能についてのスイッチ情報を表示する際、スイッチ機能に特定された色調での表示を行うことを特徴とする多機能スイッチ装置。
【請求項４】
請求項１〜３の何れか１項に記載の多機能スイッチ装置において、
前記基本操作部およびモニタ表示部と同一の機能ゾーンにそれぞれ配置された前記スイッチ機能表示部は、前記機能選択スイッチによって何れの機能も選択されていない初期状態においては、各機能ゾーンのスイッチ機能の中で優先度の高い機能についてのスイッチ情報を表示することを特徴とする多機能スイッチ装置。
【請求項５】
請求項１〜４の何れか１項に記載の多機能スイッチ装置において、
当該多機能スイッチ装置は、車室内で各種情報を表示できるモニタ付きセンタークラスターパネルに搭載されて車両装備のスイッチ操作に利用されること特徴とする多機能スイッチ装置。
【発明の詳細な説明】
【０００１】
【発明の属する技術分野】
本発明は、例えば、車室内で各種情報を表示できるモニタ付きセンタークラスターパネルに適用される多機能スイッチ装置に係り、特に、マルチ表示スイッチを利用した構成において、各種スイッチ機能の中から選択されたスイッチ機能における詳細機能のスイッチ情報をクリアキーに振り分けてマルチ表示し、同時にそのマルチ表示を形状把握で即座に認識できる表示態様にする多機能スイッチ装置に関する。
【０００２】
【従来の技術】
従来の多機能スイッチ装置が適用されたモニタ付きセンタークラスターパネルのシステムでは、そのモニタ内にオーディオやナビゲーション、エアコン等の情報を表示している。また、このようなシステムにおいて、センタークラスター全体でスイッチとモニタを構成している場合、使いやすさを考慮して各機能毎にゾーンを分けて、モニタの周りにゾーン分けしたスイッチ群を配置しているものがある。
【０００３】
例えば、図９に示すように、ディスプレイ１０１の周りを囲むように、スイッチ群１０２を配設し、このスイッチ群１０２をオーディオ用ゾーン１０２ａ、ナビゲーション用ゾーン１０２ｂ、エアコン用ゾーン１０２ｃ等のように、スイッチ機能別にゾーンを分けることにより、その各スイッチ機能毎のグルーピングを行い、使いやすさを確保している。
【０００４】
また、ディスプレイ１０１内の表示は、スイッチ機能を選ぶ毎にその機能全般となる。また、スイッチ群１０２としてタッチパネルを用い、このタッチパネルにてスイッチ表示も行われる。
【０００５】
また、上記のように、ディスプレイの周りを囲むように、スイッチ群を配設して、スイッチ近傍にそのキーの機能を表示し、マルチファンクションスイッチとしているものがある。
【０００６】
例えば、図１０（ａ）の上面図，同図（ｂ）の断面図に示すように、透明なキートップ２０１の下にグラフィカルな表示デバイス２０２を持ち、キートップ２０１の表記自体を変化させ、各機能によってスイッチの機能を変更可能にしたものである。なお、この構造では、キートップ２０１の押圧動作により基板２０３のスイッチ機構を作動させることができる。
【０００７】
【発明が解決しようとする課題】
しかしながら、図９に示すスイッチシステムの構成の場合は、例えばナビゲーションシステムを使用しているときは、一部の機能を除いてオーディオの操作は不可能となる。また、ディスプレイ１０１にてナビゲーションシステムの表示を行っているときには、そのディスプレイ１０１にてオーディオの情報は同時に見ることができない。
【０００８】
また、スイッチ群１０２にタッチパネルスイッチに適用した場合であっても、スイッチの配置位置自体は各モードで異なり、使用者はその位置を確認しながら操作することを強いられる。つまり、表示自体は一画面一機能（ナビゲーション／オーディオ等）なのでゾーン分けの考え方はない。
【０００９】
他方、図１０のようなスイッチシステムの構成の場合においては、各機能によってスイッチの機能を変更可能である反面、使用者がスイッチの機能を位置で覚えるような使い方は不可能になるので、必ず使用者に表記を読ませる及びアイコンを確認させることを強いることになるという問題がある。
【００１０】
このような場合、使用者が運転時に正面より支点を離している時間を、多く必要としてしまうこととなる。また、マルチ表示が可能なことから各機能毎に各キーが割り当てられるため、ユーザからすると今までのように、そのキーに対して固定したイメージをもつことができなくなり、例えば、ラジオのキーかと思ったら、エアコンだったなどの煩わしさを感じてしまうという問題がある。
【００１１】
本発明は上記事情に鑑み、マルチ表示スイッチを利用した構成において、各種スイッチ機能の中から選択されたスイッチ機能における詳細機能のスイッチ情報をクリアキーに振り分けてマルチ表示し、同時にそのマルチ表示を形状把握で即座に認識できる表示態様にする多機能スイッチ装置を提供することを目的としている。
【００１２】
【課題を解決するための手段】
上記の目的を達成するために請求項１の発明は、所定の入力操作に応じて各種スイッチ機能の中から所望のスイッチ機能を選択するための機能選択スイッチが、使用頻度の高いスイッチについては直接的に操作を行えるようにスイッチ機能別にゾーン分けして配置された基本操作部と、これらの基本操作部に対応させたスイッチ機能毎のモニタ表示領域を備え、前記機能選択スイッチで選択されたスイッチ機能のスイッチ情報に関連する動作情報は、表示領域が拡大された大写しで表示すると共に、前記機能選択スイッチで選択されていない他のスイッチ機能についてのスイッチ情報に関連する動作情報は、表示領域が縮小された小写しで表示するモニタ表示部と、前記基本操作部およびモニタ表示部と同一の機能ゾーンにそれぞれ配置され、各モニタ表示部の表示領域に沿って前記機能選択スイッチが示すスイッチ機能における詳細なスイッチ情報を表示するスイッチ機能表示部と、このスイッチ機能表示部の上面側に複数のクリアキーを配置して当該スイッチ機能表示部が表示しているスイッチ情報を透過・表示すると共に、クリアキー毎になされる押圧動作により前記機能選択スイッチが示すスイッチ機能における詳細機能を各別に作動させるマルチ表示スイッチとを具備することを特徴としている。
【００１３】
請求項２の発明は、請求項１に記載の多機能スイッチ装置において、前記スイッチ機能表示部は、前記機能選択スイッチが示すスイッチ機能における詳細なスイッチ情報を表示する際、スイッチ機能の種類別に当該スイッチ機能における詳細機能を複数階層に分けて表示することを特徴としている。
【００１４】
請求項３の発明は、請求項１または２に記載の多機能スイッチ装置において、前記モニタ表示部及び前記スイッチ機能表示部は、前記機能選択スイッチが示すスイッチ機能についてのスイッチ情報を表示する際、スイッチ機能に特定された色調での表示を行うことを特徴としている。
【００１７】
請求項４の発明は、請求項１〜３の何れか１項に記載の多機能スイッチ装置において、前記基本操作部およびモニタ表示部と同一の機能ゾーンにそれぞれ配置された前記スイッチ機能表示部は、前記機能選択スイッチによって何れの機能も選択されていない初期状態においては、各機能ゾーンのスイッチ機能の中で優先度の高い機能についてのスイッチ情報を表示することを特徴としている。
【００１８】
請求項５の発明は、請求項１〜４の何れか１項に記載の多機能スイッチ装置において、当該多機能スイッチ装置は、車室内で各種情報を表示できるモニタ付きセンタークラスターパネルに搭載されて車両装備のスイッチ操作に利用されること特徴としている。
【００１９】
請求項１の発明によれば、マルチ表示スイッチは、機能選択スイッチにより各種スイッチ機能の中から選択されたスイッチ機能における詳細機能のスイッチ情報をクリアキーに振り分けてマルチ表示することができる。
また、使用頻度の高いスイッチ機能については直接的に操作を行える基本操作部を、スイッチ機能別にゾーン分けして複数配置しているので、モニタ表示部が表示しているスイッチ機能別の動作情報や、マルチ表示スイッチのクリアキーが透過・表示しているスイッチ情報を確認することなく、使用頻度の高いスイッチ機能を使いたいときに直ちに操作できるので、使い勝手の観点で優れたものとなる。
また、基本操作部のゾーン分け配置に対応させてスイッチ機能毎にモニタ表示部が複数の表示領域に分けられているので、各種スイッチ機能毎に使用頻度の高いスイッチ機能については直接的に操作を行える基本操作部の領域と、モニタ表示の領域と、マルチ表示スイッチの領域とが互いに関連付けられ、また、機能選択スイッチが示すスイッチ機能についてのスイッチ情報の詳細機能の増減に対応でき、更にスイッチ情報の表示がゾーンを跨ぐ場合であっても、操作すべきスイッチを見つけやすく、また、使い勝手の観点でも優れたものとなる。
【００２０】
同時に、この選択されたスイッチ機能のスイッチ情報に関連する動作情報がモニタ表示部に大写しで表示され、また、このモニタ表示部の近傍にて機能選択スイッチが示すスイッチ機能における詳細機能のスイッチ情報がスイッチ機能表示部に表示される。
【００２１】
よって、本発明に係る多機能スイッチ装置は、各種スイッチ機能の中から選択されたスイッチ機能における詳細機能のスイッチ情報をクリアキーに振り分けてマルチ表示し、同時にそのマルチ表示を形状把握で即座に認識できる表示態様にするので、使用者がより使いやすいインターフェースとなる。
【００２２】
請求項２の発明によれば、スイッチ機能表示部は、機能選択スイッチが示すスイッチ機能についてのスイッチ情報を表示する際、スイッチ機能の種類別に優先度の高い詳細機能順に複数階層に分けてスイッチ情報を表示できるので、優先度の高い詳細機能を直ちに動作できることになり、また、機能選択スイッチが示すスイッチ機能に多数の詳細機能を割り当てることができるので、そのスイッチ機能の対象装備の機能拡張に有用となる。
【００２３】
請求項３の発明によれば、モニタ表示部及びスイッチ機能表示部は、機能選択スイッチが示すスイッチ機能についてのスイッチ情報を表示する際、スイッチ機能に特定された色調での表示を行うので、モニタ表示色及び各クリアキーのバック色は、その全てが選択されたスイッチ機能の色調となり、そのスイッチ機能のモードに従属していることを促すことになり、リクエストされたスイッチ機能のモードに入ったことを使用者は容易に知ることが可能となる。
【００２６】
請求項４の発明によれば、基本操作部およびモニタ表示部のゾーン分け配置に対応させてスイッチ機能毎にスイッチ機能表示部が複数の表示領域に分けられており、また、スイッチ機能表示部は、機能選択スイッチによって何れの機能も選択されていない初期状態においては、各機能ゾーンのスイッチ機能の中で優先度の高い機能についてのスイッチ情報を表示するようにしたので、各種スイッチ機能毎に使用頻度の高いスイッチ機能については直接的に操作を行える基本操作部の領域と、モニタ表示の領域と、マルチ表示スイッチの領域とが互いに関連付けられ、また、機能選択スイッチが示すスイッチ機能についてのスイッチ情報の詳細機能の増減に対応でき、更にスイッチ情報の表示がゾーンを跨ぐ場合であっても、操作すべきスイッチを見つけやすく、また、使い勝手の観点でも優れたものとなる。
【００２７】
請求項５の発明によれば、ゾーン分けして一画面多機能表示の多機能スイッチ装置がモニタ付きセンタークラスターパネルに搭載されたものとなるので、例えばナビゲーションシステムを使用しているときに、オーディオの操作が可能となる。また、ディスプレイにてナビゲーションシステムの表示を行っているときに、そのディスプレイにてオーディオの情報を同時に見ることができる。また、スイッチ機能と対象装備との関連付けを色調やゾーン分け等で認識できるので、使用者がスイッチの機能を位置で覚えるような使い方は可能となり、操作上の煩わしさを回避できる。
【００２８】
【発明の実施の形態】
図１は、本発明に係る多機能スイッチ装置が適用された車両用のモニタ付きセンタークラスターパネルの構成を示す正面図である。
【００２９】
同図に示すように、このモニタ付きセンタークラスターパネル１は、ＬＣＤディスプレイ２を縦に使い、また、パネル面を三つの領域にゾーン分けして構成されている。
【００３０】
この三つの領域に分けるゾーン分けでは、上段には表示に視認性が求められるＩＮＦＯ（ナビゲーション情報等の車両情報）ゾーン３が配置され、中段にはオーディオ（ＡＵＤＩＯ）ゾーン４が、下段にはエアコン（ＡＣ）ゾーン５が大くくりのモードで配置されている。
【００３１】
そして、モニタ付きセンタークラスターパネル１の各ゾーン３〜５には、使用頻度の高いスイッチ機能について直接的に操作を行える基本操作部６〜８が配置されている。
【００３２】
ＩＮＦＯゾーン３に配置された基本操作部６は、ナビゲーション情報等の車両情報をＬＣＤディスプレイ２にモニタ表示したり、音声で認識できる状態及びこれを解除するために、ＶＯＩＣＥ，ＭＡＰ，ＲＯＵＴＥ，ＣＡＮＣＥＬの切替操作を行えるダイレクトキー９を有する。
【００３３】
オーディオゾーン４に配置された基本操作部７は、ＡＭ，ＦＭ，ＣＤ，ＣＤＣの選択や、ＳＣＡＮ，ＳＥＴ，ＴＯＮＥ，ＴＯＲＡＣＫの切替操作を行えるダイレクトキー１０を有する。
【００３４】
エアコンゾーン５に配置された基本操作部８は、空調対象の選択や、ＲＩＧＨＴ調整，ＬＥＦＴ調整の調整操作を行えるダイレクトキー１１を有する。
【００３５】
また、車両に装備されたインフォメーションシステム（ＩＮＦＯ）やオーディオシステム（ＡＵＤＩＯ）やエアコンシステム等の設備における各種スイッチ機能の中から所望のスイッチ機能を選択するための機能選択スイッチとして、リクエストキー（ＩＮＦＯ／ＡＵＤＩＯ／ＡＣ）１２〜１４をＬＣＤディスプレイ２の近傍（左側）に配置している。
【００３６】
このように、使用頻度の高いスイッチ機能について直接的に操作を行える基本操作部６〜８を、スイッチ機能別にゾーン分けして複数配置しているので、ＬＣＤディスプレイ（後述するモニタ表示部１５）が表示しているスイッチ機能別の動作情報や、マルチ表示スイッチのクリアキーが透過・表示しているスイッチ情報を確認することなく、使用頻度の高いスイッチ機能を使いたいときに直ちに操作できるので、使い勝手の観点で優れたものとなる。
【００３７】
一方、ＬＣＤディスプレイ２は、図２に示すように、モニタ表示部１５とスイッチ機能表示部１６とに大別される。そして、モニタ表示部１５は、三つの各モニタ領域１５ａ〜１５ｃに区分されており、モニタ領域１５ａがＩＮＦＯゾーン３に対応し、モニタ領域１５ｂがオーディオゾーン４に対応し、エアコン領域１５ｃがエアコンゾーン５に対応する画面上でのゾーン分けがなされている。
【００３８】
また、詳しくは後述するが、モニタ表示部１５及びスイッチ機能表示部１６は、機能選択スイッチとしてのリクエストキー１２〜１４が示すスイッチ機能についてのスイッチ情報を表示する際、スイッチ機能に特定された色調での表示を行う。
【００３９】
また、スイッチ機能表示部１６は、前記機能選択スイッチが示すスイッチ機能における詳細機能のスイッチ情報を表示する際、スイッチ機能の種類別に当該スイッチ機能における詳細機能を複数階層に分けてスイッチ情報を表示できるものである。
【００４０】
この三つの各モニタ領域１５ａ〜１５ｃの近傍（右側）には、図２に示すスイッチ機能表示部１６の上面側に、６つの各クリアキー１７ａ〜１７ｆを各モニタ領域１５ａ〜１５ｃに各々対応させて２個づつ割り当てて配置したマルチ表示スイッチ１８が設けられている。
【００４１】
マルチ表示スイッチ１８は、図２に示すスイッチ機能表示部１６が表示しているスイッチ情報を各クリアキー１７ａ〜１７ｆに透過・表示すると共に、各クリアキー１７ａ〜１７ｆ毎になされる押圧動作によりリクエストキー（ＩＮＦＯ／ＡＵＤＩＯ／ＡＣ）１２〜１４が示すスイッチ機能における詳細機能を各別に作動させることができる。なお、図２に示すスイッチ機能表示部１６は、ＬＣＤディスプレイ２をモニタ表示部１５と共用しているが、スイッチ機能表示部１６を単独で構成することもできる。
【００４２】
モニタ表示部１５と、マルチ表示スイッチ（スイッチ機能表示部１０）１８とは、リクエストキー（ＩＮＦＯ／ＡＵＤＩＯ／ＡＣ）１２〜１４が非選択状態のときと、その選択状態のときとでは表示態様が異なる。
【００４３】
モニタ表示部１５は、リクエストキー（ＩＮＦＯ／ＡＵＤＩＯ／ＡＣ）１２〜１４が非選択状態のときは、三つの各ゾーン３〜５に沿った位置で割り当てられた三つのモニタ領域９ａ〜９ｃでゾーン別の機能表示を行う。
【００４４】
また、モニタ表示部１５は、リクエストキー（ＩＮＦＯ／ＡＵＤＩＯ／ＡＣ）１２〜１４の選択状態では、詳しくは後述するが、リクエストキー（ＩＮＦＯ／ＡＵＤＩＯ／ＡＣ）１２〜１４が示すスイッチ情報に関連する動作情報をモニタ表示し、このモニタ表示では、リクエストキー（ＩＮＦＯ／ＡＵＤＩＯ／ＡＣ）１２〜１４が示すスイッチ機能のスイッチ情報に関連する動作情報を表示領域が拡大される大写しで表示する一方、他のスイッチ機能についてのスイッチ情報に関連する動作情報を表示領域が縮小される小写しで表示する。
【００４５】
一方、マルチ表示スイッチ１８は、リクエストキー（ＩＮＦＯ／ＡＵＤＩＯ／ＡＣ）１２〜１４の非選択状態（初期状態）では、通常、図１に示すように、各機能ゾーン毎の優先度の高い機能を選択するスイッチとされている。例えば、図１の例では、ＩＮＦＯソーン３に配置されたクリアーキー１７ａ，１７ｂにはインフォメーションシステムの内で優先度の高い機能が割り振られ、また、オーディオゾーン４に配置されたクリアキー１７ｃ，１７ｂには、ＢＡＬ／ＦＡＤＥ、ＥＱ等のオーディオシステムにおける優先度の高い機能が割り振られ、さらに、ＡＣソーン５に配置されたクリアキー１７ｅ，１７ｆには、ＡＵＴＯ、ＯＦＦ等のエアコンシステムにおける優先度の高い機能が割り振られている。
【００４６】
また、マルチ表示スイッチ１８は、リクエストキー（ＩＮＦＯ／ＡＵＤＩＯ／ＡＣ）１２〜１４の選択状態では、詳しくは後述するが、リクエストキー（ＩＮＦＯ／ＡＵＤＩＯ／ＡＣ）１２〜１４が示すスイッチ機能における詳細機能についてのスイッチ情報を各クリアキー１７ａ〜１７ｆに透過・表示し、それらのスイッチ機能を利用可能にする。なお、図１において、１９ａ，１９ｂはリクエストキーとして増設したＭＥＮＵキー及びＭＡＩＮキーであり、また、２０はメディア挿入口である。
【００４７】
前述の如く、基本操作部６〜８のゾーン分け配置に対応させてモニタ表示部１５及びマルチ表示スイッチ１８を複数の区分に割り振り配置しているので、各種スイッチ機能毎に使用頻度の高いスイッチ機能については直接的に操作を行える基本操作部６〜８の領域と、モニタ表示部１５の領域と、マルチ表示スイッチ１８の領域とが互いに関連付けられ、また、機能選択スイッチとしてのリクエストキー１２〜１４が示すスイッチ機能についてのスイッチ情報の詳細機能の増減に対応でき、更にスイッチ情報の表示がゾーンを跨ぐ場合であっても、操作すべきスイッチを見つけやすく、また、使い勝手の観点でも優れたものとなる。
【００４８】
次に、モニタ付きセンタークラスターパネル１における色調変化を視覚的に認識できる動作態様を、図３（ａ）〜（ｃ）を用いて説明する。同図は、スイッチ機能選択手段としてのリクエストキー１２〜１４が押された場合の、図１におけるモニタ表示部１５の画面と、マルチ表示スイッチ１８との様子が示されている。
【００４９】
例えば、リクエストキー１２〜１４のうち、リクエストキー１２が選択されて押されると、モニタ表示部１５において、図３（ａ）のようにリクエストされたＩＮＦＯゾーンのモニタ領域を要部としたＩＮＦＯ表示画面が本画面２１Ａとして大写しされて、オーディオ表示及びエアコン表示の他の画面２１Ｂ，２１Ｃが縮小される。このとき、本画面２１Ａ以外の画面２１Ｂ，１５Ｃではその画面内に情報が収まるように情報を間引きすることがなされる。
【００５０】
一方、本画面２１Ａの色調及びクリアキー１７ａ〜１７ｆのバック色は、その全てが選択されたＩＮＦＯモード画面の色調またはバック色となり、そのモードに従属していることを促すことになり、リクエストされたスイッチ機能のモードに入ったことを使用者は容易に知ることが可能となる。
【００５１】
また、モニタ表示部１５において、クリアキー１７ａ〜１７ｆ近傍のモニタ表示領域では、選択されたＩＮＦＯモードの色調分布がクリアキー１７ａ〜１７ｆを配設した部分全体に延びて、クリアキー１７ａ〜１７ｆを支配していることを使用者に促すことになる。
【００５２】
同様に、リクエストキー１２〜１４のうち、リクエストキー１３が選択されて押されると、モニタ表示部１５において、図３（ｂ）のようにリクエストされたオーディオゾーンのモニタ領域を要部としたオーディオ表示画面が本画面２２Ａとして大写しされて、ＩＮＦＯ表示及びエアコン表示の他の画面２２Ｂ，２２Ｃが縮小される。このとき、本画面２２Ａ以外の画面２２Ｂ，２２Ｃではその画面内に情報が収まるように情報を間引きすることがなされる。
【００５３】
一方、本画面２２Ａの色調及びクリアキー１７ａ〜１７ｆのバック色は、その全てが選択されたオーディオモード画面の色調またはバック色となり、そのモードに従属していることを促すことになる。
【００５４】
また、モニタ表示部１５において、クリアキー１７ａ〜１７ｆ近傍のモニタ表示領域では、選択されたオーディオモードの色調分布がクリアキー１７ａ〜１７ｆを配設した部分全体に延びて、クリアキー１７ａ〜１７ｆを支配していることを使用者に促すことになる。
【００５５】
また、同様に、リクエストキー１２〜１４のうち、リクエストキー１４が選択されて押されると、モニタ表示部１５において、図３（ｃ）のようにリクエストされたエアコンゾーンのモニタ領域を要部としたエアコン表示画面が本画面２３Ａとして大写しされて、ＩＮＦＯ表示及びオーディオ表示の他の画面２３Ｂ，２３Ｃが縮小される。このとき、本画面２３Ａ以外の画面２３Ｂ，２３Ｃではその画面内に情報が収まるように情報を間引きすることがなされる。
【００５６】
一方、本画面２３Ａの色調及びクリアキー１７ａ〜１７ｆのバック色は、その全てが選択されたエアコンモード画面の色調またはバック色となり、そのモードに従属していることを促すことになる。
【００５７】
また、モニタ表示部１５において、クリアキー１７ａ〜１７ｆ近傍のモニタ表示領域では、選択されたエアコンモードの色調分布がクリアキー１７ａ〜１７ｆを配設した部分全体に延びて、クリアキー１７ａ〜１７ｆを支配していることを使用者に促すことになる。
【００５８】
上記のような構成を採用することで、リクエストされたモードに入った（画面及びクリアスイッチをそのモードでアクティブ）を使用者は容易に知ることが可能となる。
【００５９】
次に、モニタ付きセンタークラスターパネル１におけるスイッチ機能別になされる詳細機能の選択過程を、図４〜図８のモードフローを用いて説明する。
【００６０】
図４はオーディオフローの一例を示しており、図１の基本操作部７のダイレクトキー１０により直接的にＡＭ，ＦＭ，ＣＤ，ＣＤ−ＣＨ，ＭＤの何れかをオーディオモードの詳細機能として選択する場合である。
【００６１】
これら詳細機能のうち、例えばＡＭモードが選択されたとき、第１周波数選択モード４１及び第２周波数選択モード４２を階層別に選択できるモードに移行し、続く図１のクリアキー１７ａ〜１７ｆの何れかを押す操作で、例えばクリアキー１７ａを押す操作で第１周波数選択モード４１の周波数１〜５のうち、周波数１を詳細機能として選局できる。もし、第１周波数選択モード４１に選局対象がない場合は、クリアキー１７ｆを押す操作で、第２周波数選択モード４２に進み、周波数６〜１０を選局可能にできる。
【００６２】
また、ＦＭモードが選択されたとき、第３周波数選択モード４３及び第２周波数選択モード４２を階層別に選択できるモードに移行し、続く図１のクリアキー１７ａ〜１７ｆの何れかを押す操作で、例えばクリアキー１７ｃを押す操作で第３周波数選択モード４３の周波数１〜５のうち、周波数３を詳細機能として選局できる。
【００６３】
また、ＣＤモードが選択されたとき、ＣＤ調整モード４４に移行し、続く図１のクリアキー１７ａまたは１７ｃの何れかを押す操作でＲＤＭモードまたはＲＰＴモードを詳細機能として選択できる。
【００６４】
また、ＣＤ−ＣＨモードが選択されたとき、ＣＤ−ＣＨ調整モード４５に移行し、図１のクリアキー１７ａ〜１７ｆのうち、例えばクリアキー１７ａを押す操作でＣＤ−ＣＨ調整モード４５のＲＤＭ，Ｄ／ＲＤＭ，ＲＰＴ，Ｄ／ＲＰＴ，△ＤＩＳＣ，▽ＤＩＳＣの各モードの中からＲＤＭモードを詳細機能として選択できる。
【００６５】
また、ＭＤモードが選択されたとき、ＭＤ調整モード４６に移行し、続く図１のクリアキー１７ａまたは１７ｃの何れかを押す操作でＲＤＭモードまたはＲＰＴモードを詳細機能として選択できる。
【００６６】
図５はオーディオフローの別の一例を示しており、ＡＭ，ＦＭ，ＣＤ，ＣＤ−ＣＨ，ＭＤの各モードのうちの何れかのモードにある場合に、図１のクリアキー１７ｃまたは１７ｄの何れかを押す操作でスイッチ機能としてＢＡＬ／ＦＡＤＥ機能の選択モード５１またはＥＱ機能の選択モード５２を選択できる表示に移行できる。そして、ＢＡＬ／ＦＡＤＥ機能の選択モード５１に移行すると、ＦＥＤＥＲ−ＦＲ，ＦＥＤＥＲ−ＲＲ，ＢＡＬＡＮＣＥ−Ｌ，ＢＡＬＡＮＣＥ−Ｒの調整モードのうちの何れかを選択できる。また、ＥＱ機能の選択モード５２に移行すると、ＢＡＳＳ△，ＢＡＳＳ▽，ＭＩＤ△，ＭＩＤ▽，ＴＲＥＳ△，ＴＲＥＳ▽の調整モードのうちの何れかを選択できる。
【００６７】
図６はエアコンフローの一例を示しており、リクエストキー１２〜１４の非選択時に図１のクリアキー１７ａ〜１７ｆのうち、クリアキー１７ｅを押してＡＵＴＯモードが選択選択されたとき、例えば正面吹き出しや足元吹き出し等を室内温度環境に応じて自動選択できる。なお、ＡＵＴＯモードの選択が無い場合、続く階層のモード表示がなされず、クリアキー表示はＯＮ，ＯＦＦのスイッチ機能表示のままとなる。
【００６８】
図７はＭＥＮＵフローの一例を示しており、リクエストキーとして増設した図１のＭＥＮＵキー１９ａを押すと、図１のクリアキー１７ａ〜１７ｆのうち、クリアキー１７ａにスイッチ機能として時計モードが表示され、また、クリアキー１７ｂにスイッチ機能として画面モードが表示される。この際、クリアキー１７ａを押すと、時，分，秒のモードとカレンダーモードが表示され、更にクリアキー１７ｆを押すと、クリアキー１７ａ〜１７ｆに年△，年▽，月△，月▽，日△，日▽が各々表示されて、これらを調整できる状態になる。
【００６９】
図８はＭＡＩＮフローの一例を示しており、リクエストキーとして増設した図１のＭＡＩＮキー１９ｂを押すと、図１のクリアキー１７ａ〜１７ｆのうち、クリアキー１７ｃ〜１７ｆにＢＡＬ／ＦＡＤＥ，ＥＱ，ＡＵＴＯ，ＯＦＦが各々表示されて、これらを調整できる状態になる。
【００７０】
前述の如く、現在使用している機能について、詳細の機能（１階層下）の機能を操作したい場合は、表示モニタ１５近傍の各ゾーン３〜５毎のリクエストキー（ＩＮＦＯ／ＡＵＤＩＯ／ＡＣ）１２〜１４を押し、リクエストを行う。
【００７１】
以上のように、本発明に係る多機能スイッチ装置が適用された車両用のモニタ付きセンタークラスターパネル１は、各種スイッチ機能の中から所望のスイッチ機能を選択するための所定の入力操作を行える機能選択スイッチ（リクエストキー１２〜１４）と、この機能選択スイッチ（リクエストキー１２〜１４）が示すスイッチ機能のスイッチ情報に関連する動作情報を表示領域が拡大される大写しで表示する一方、他のスイッチ機能についてのスイッチ情報に関連する動作情報を表示領域が縮小される小写しで表示するモニタ表示部１５と、このモニタ表示部１５の近傍にてモニタ表示部１５が大写しで表示した動作情報の表示領域に沿って機能選択スイッチ（リクエストキー１２〜１４）が示すスイッチ機能における詳細機能のスイッチ情報を表示するスイッチ機能表示部１６と、このスイッチ機能表示部１６の上面側に複数のクリアキー１７ｃ〜１７ｆを配置してスイッチ機能表示部１６が表示しているスイッチ情報を透過・表示すると共に、クリアキー毎になされる押圧動作により前記機能選択スイッチが示すスイッチ機能における詳細機能を各別に作動させるマルチ表示スイッチ１８とを備えている。
【００７２】
この構成であれば、マルチ表示スイッチ１８は、リクエストキー（ＩＮＦＯ／ＡＵＤＩＯ／ＡＣ）１２〜１４により各種スイッチ機能の中から選択されたスイッチ機能における詳細機能のスイッチ情報をクリアキー１７ａ〜１７ｆに振り分けてマルチ表示することができる。
【００７３】
同時に、この選択されたスイッチ機能のスイッチ情報に関連する動作情報がモニタ表示部１５に大写しで表示され、また、このモニタ表示部１５の近傍にてリクエストキー（ＩＮＦＯ／ＡＵＤＩＯ／ＡＣ）１２〜１４が示すスイッチ機能における詳細機能のスイッチ情報がスイッチ機能表示部１６に表示される。
【００７４】
よって、本発明に係る多機能スイッチ装置は、各種スイッチ機能の中から選択されたスイッチ機能における詳細機能のスイッチ情報をクリアキー１７ａ〜１７ｆに振り分けてマルチ表示し、同時にそのマルチ表示を形状把握で即座に認識できる表示態様にするので、使用者がより使いやすいインターフェースとなる。  また、スイッチ機能表示部１６は、機能選択スイッチ（リクエストキー１２〜１４）が示すスイッチ機能における詳細機能のスイッチ情報を表示する際、スイッチ機能の種類別にスイッチ機能における詳細機能を複数階層に分けてスイッチ情報を表示できる。
【００７５】
この構成であれば、スイッチ機能表示部１６は、機能選択スイッチ（リクエストキー１２〜１４）が示すスイッチ機能についてのスイッチ情報を表示する際、スイッチ機能の種類別に優先度の高い詳細機能順に複数階層に分けてスイッチ情報を表示できるので、優先度の高い詳細機能を直ちに動作できることになり、また、機能選択スイッチが示すスイッチ機能に多数の詳細機能を割り当てることができるので、そのスイッチ機能の対象装備の機能拡張に有用となる。
【００７６】
また、モニタ表示部１５及びスイッチ機能表示部１６は、機能選択スイッチ（リクエストキー１２〜１４）が示すスイッチ機能についてのスイッチ情報を表示する際、スイッチ機能に特定された色調での表示を行うので、モニタ表示色及び各クリアキーのバック色は、その全てが選択されたスイッチ機能の色調となり、そのスイッチ機能のモードに従属していることを促すことになり、リクエストされたスイッチ機能のモードに入ったことを使用者は容易に知ることが可能となる。
【００７７】
また、使用頻度の高いスイッチ機能については直接的に操作を行える基本操作部６〜８を、スイッチ機能別に各ゾーン３〜５にゾーン分けして複数配置しているので、モニタ表示部１５が表示しているスイッチ機能別の動作情報や、マルチ表示スイッチ１８のクリアキー１７ａ〜１７ｆが透過・表示しているスイッチ情報を確認することなく、使用頻度の高いスイッチ機能を使いたいときに直ちに操作できるので、使い勝手の観点で優れたものとなる。
【００７８】
また、基本操作部６〜８のゾーン分け配置に対応させてモニタ表示部１５及びマルチ表示スイッチ１８を複数の区分に割り振り配置しているので、各種スイッチ機能毎に使用頻度の高いスイッチ機能については直接的に操作を行える基本操作部の領域と、モニタ表示の領域と、マルチ表示スイッチの領域とが互いに関連付けられ、また、機能選択スイッチが示すスイッチ機能についてのスイッチ情報の詳細機能の増減に対応でき、更にスイッチ情報の表示がゾーンを跨ぐ場合であっても、操作すべきスイッチを見つけやすく、また、使い勝手の観点でも優れたものとなる。
【００７９】
また、モニタ付きセンタークラスターパネル１は、ゾーン分けして一画面多機能表示の多機能スイッチ装置が搭載されたものとなるので、例えばナビゲーションシステムを使用しているときに、オーディオの操作が可能となる。また、ディスプレイにてナビゲーションシステムの表示を行っているときに、そのディスプレイにてオーディオの情報は同時に見ることができる。また、スイッチ機能と対象装備との関連付けを色調やゾーン分け等で認識できるので、使用者がスイッチの機能を位置で覚えるような使い方は可能となり、操作上の煩わしさを回避できる。
【００８０】
【発明の効果】
以上説明したように請求項１の発明によれば、マルチ表示スイッチは、機能選択スイッチにより各種スイッチ機能の中から選択されたスイッチ機能における詳細機能のスイッチ情報をクリアキーに振り分けてマルチ表示することができる。
また、使用頻度の高いスイッチ機能については直接的に操作を行える基本操作部を、スイッチ機能別にゾーン分けして複数配置しているので、モニタ表示部が表示しているスイッチ機能別の動作情報や、マルチ表示スイッチのクリアキーが透過・表示しているスイッチ情報を確認することなく、使用頻度の高いスイッチ機能を使いたいときに直ちに操作できるので、使い勝手の観点で優れたものとなる。
また、基本操作部のゾーン分け配置に対応させてスイッチ機能毎にモニタ表示部が複数の表示領域に分けられているので、各種スイッチ機能毎に使用頻度の高いスイッチ機能については直接的に操作を行える基本操作部の領域と、モニタ表示の領域と、マルチ表示スイッチの領域とが互いに関連付けられ、また、機能選択スイッチが示すスイッチ機能についてのスイッチ情報の詳細機能の増減に対応でき、更にスイッチ情報の表示がゾーンを跨ぐ場合であっても、操作すべきスイッチを見つけやすく、また、使い勝手の観点でも優れたものとなる。
【００８１】
同時に、この選択されたスイッチ機能のスイッチ情報に関連する動作情報がモニタ表示部に大写しで表示され、また、このモニタ表示部の近傍にて機能選択スイッチが示すスイッチ機能における詳細機能のスイッチ情報がスイッチ機能表示部に表示される。
【００８２】
よって、本発明に係る多機能スイッチ装置は、各種スイッチ機能の中から選択されたスイッチ機能における詳細機能のスイッチ情報をクリアキーに振り分けてマルチ表示し、同時にそのマルチ表示を形状把握で即座に認識できる表示態様にするので、使用者がより使いやすいインターフェースとなる。
【００８３】
請求項２の発明によれば、スイッチ機能表示部は、機能選択スイッチが示すスイッチ機能についてのスイッチ情報を表示する際、スイッチ機能の種類別に優先度の高い詳細機能順に複数階層に分けてスイッチ情報を表示できるので、優先度の高い詳細機能を直ちに動作できることになり、また、機能選択スイッチが示すスイッチ機能に多数の詳細機能を割り当てることができるので、そのスイッチ機能の対象装備の機能拡張に有用となる。
【００８４】
請求項３の発明によれば、モニタ表示部及びスイッチ機能表示部は、機能選択スイッチが示すスイッチ機能についてのスイッチ情報を表示する際、スイッチ機能に特定された色調での表示を行うので、モニタ表示色及び各クリアキーのバック色は、その全てが選択されたスイッチ機能の色調となり、そのスイッチ機能のモードに従属していることを促すことになり、リクエストされたスイッチ機能のモードに入ったことを使用者は容易に知ることが可能となる。
【００８６】
請求項４の発明によれば、基本操作部およびモニタ表示部のゾーン分け配置に対応させてスイッチ機能毎にスイッチ機能表示部が複数の表示領域に分けられており、また、スイッチ機能表示部は、機能選択スイッチによって何れの機能も選択されていない初期状態においては、各機能ゾーンのスイッチ機能の中で優先度の高い機能についてのスイッチ情報を表示するようにしたので、各種スイッチ機能毎に使用頻度の高いスイッチ機能については直接的に操作を行える基本操作部の領域と、モニタ表示の領域と、マルチ表示スイッチの領域とが互いに関連付けられ、また、機能選択スイッチが示すスイッチ機能についてのスイッチ情報の詳細機能の増減に対応でき、更にスイッチ情報の表示がゾーンを跨ぐ場合であっても、操作すべきスイッチを見つけやすく、また、使い勝手の観点でも優れたものとなる。
【００８７】
請求項５の発明によれば、ゾーン分けして一画面多機能表示の多機能スイッチ装置がモニタ付きセンタークラスターパネルに搭載されたものとなるので、例えばナビゲーションシステムを使用しているときに、オーディオの操作が可能となる。また、ディスプレイにてナビゲーションシステムの表示を行っているときに、そのディスプレイにてオーディオの情報を同時に見ることができる。また、スイッチ機能と対象装備との関連付けを色調やゾーン分け等で認識できるので、使用者がスイッチの機能を位置で覚えるような使い方は可能となり、操作上の煩わしさを回避できる。
【図面の簡単な説明】
【図１】本発明に係る多機能スイッチ装置が適用された車両用のモニタ付きセンタークラスターパネルの構成を示す正面図である。
【図２】ＬＣＤディスプレイの構成説明図である。
【図３】モニタ付きセンタークラスターパネルにおける色調変化を視覚的に認識できる動作態様の説明図である。
【図４】オーディオフローの一例でなされる詳細機能の選択過程を示す流れ図である。
【図５】オーディオフローの別の一例でなされる詳細機能の選択過程を示す流れ図である。
【図６】エアコンフローの一例でなされる詳細機能の選択過程を示す流れ図である。
【図７】ＭＥＮＵフローの一例でなされる詳細機能の選択過程を示す流れ図である。
【図８】ＭＡＩＮフローの一例でなされる詳細機能の選択過程を示す流れ図である。
【図９】従来の多機能スイッチ装置が適用された車両用のモニタ付きセンタークラスターパネルの概略図である。
【図１０】マルチ表示スイッチの構成説明図である。
【符号の説明】
１  モニタ付きセンタークラスターパネル
２  ＬＣＤディスプレイ
３  ＩＮＦＯ（ナビゲーション情報等の車両情報）ゾーン
４  オーディオ（ＡＵＤＩＯ）ゾーン
５  エアコン（ＡＣ）ゾーン
６  ＩＮＦＯゾーンの基本操作部
７  オーディオゾーンの基本操作部
８  エアコンゾーンの基本操作部
９〜１１  ダイレクトキー
１２〜１４  リクエストキー
１５  モニタ表示部
１５ａ〜１５ｃ  モニタ領域
１６  スイッチ機能表示部
１７ａ〜１７ｆ  クリアキー
１８  マルチ表示スイッチ
【図１】
0004077984.tif 000002
【図２】
0004077984.tif 000003
【図３】
0004077984.tif 000004
【図４】
0004077984.tif 000005
【図５】
0004077984.tif 000006
【図６】
0004077984.tif 000007
【図７】
0004077984.tif 000008
【図８】
0004077984.tif 000009
【図９】
0004077984.tif 000010
【図１０】
0004077984.tif 000011